(57)【要約】【課題】筐体を構成する部品点数を少なくし、組立工数を低減させ、軽量化により据付作業の容易化を実現し、かつ筐体の内面に配置される断熱部材の数を縮小でき、輸送効率と生産性を向上させることができる空気調和機の室内機を得ること。【解決手段】天板部２ａと側板部２ｄを有する筐体２と、筐体２の下端開口部に室内側から装着され、中央に吸込口４を有し、外周に複数の吹出口５を有する化粧パネル３と、筐体の天板部の中央に設置された遠心ファン９及び遠心ファンを回転させるためのファンモータ１０と、遠心ファンの外周に囲うように設置された熱交換器１１とを備えた天井埋め込み形の空気調和機の室内機１において、天板部２ａと、側板部２ｄと、側板部２ｄの内側に配置され、側板部２ｄと２重構造をなす内側の壁２ｂと、を有する筐体２が、硬質合成樹脂による一体成型品で構成されている。【選択図】図１
2011185584.tif 000002
【特許請求の範囲】
【請求項１】
天板部と側板部を有する筐体と、筐体の下端開口部に室内側から装着され、中央に吸込口を有し、外周に複数の吹出口を有する化粧パネルと、筐体の天板部の中央に設置された遠心ファン及び遠心ファンを回転させるためのファンモータと、遠心ファンの外周に囲うように設置された熱交換器とを備えた天井埋め込み形の空気調和機の室内機において、
前記天板部と、前記側板部と、該側板部の内側に配置され、前記側板部と２重構造をなす壁と、を有する筐体が、硬質合成樹脂による一体成型品で構成されていることを特徴とする空気調和機の室内機。
【請求項２】
前記側板部から張り出して設けられたアンカー用固定部を備えたことを特徴とする請求項１に記載の空気調和機の室内機。
【請求項３】
前記筐体のアンカー固定部に取り付けられた板金製の落下防止部材を備えたことを特徴とする請求項２に記載の空気調和機の室内機。
【請求項４】
前記筐体は、難燃性樹脂で形成されていることを特徴とする請求項１〜３の何れか一項に記載の空気調和機の室内機。
【請求項５】
前記筐体に難燃性塗料を塗布したことを特徴とする請求項１〜３の何れか一項に記載の空気調和機の室内機。
【発明の詳細な説明】
【技術分野】
【０００１】
本発明は、天井埋め込み形の空気調和機の室内機に係り、特に筐体構造に関するものである。
【背景技術】
【０００２】
一般的に業務用の空気調和機の室内機は、室内への存在感が少なく、据付工事が比較的簡単な天井埋め込み形の空気調和機が多用される傾向にある。
【０００３】
その天井埋め込み形の空気調和機は、天井内に吊り下げられたアンカーボルトに固定することで、天井内あるいは天井近くに埋設される。
空気調和機の吸込口、吹出口はそれぞれ室内に向かって開口しており、風向案内板や埃を除去するフィルターを備えた化粧パネルを取り付けることにより、空気調和機として運転される（例えば、特許文献１参照）。
【先行技術文献】
【特許文献】
【０００４】
【特許文献１】特開平１１−４４４３３３号公報（第１頁、図２）
【発明の概要】
【発明が解決しようとする課題】
【０００５】
上記特許文献１に記載の従来の天井埋め込み形の空気調和機の室内機における天板と側板を有する筐体であるケーシングは、ある程度の強度を確保するために鋼板製で構成され、ケーシングの内面と外面に断熱材を備えて構成される室内機本体をアンカーボルトに固定するために、４点の吊り金具と８点の吊り金具固定ボルトの計１２点を用いてボルト締めをして室内機本体をアンカーボルトに固定している。
そのため、ボルト締めの作業工数が多く、手間がかかり、しかも室内機本体を構成するケーシングは鋼板製であるため、重量が重く、据付時の室内機本体を持ち上げる際に負担となり作業性を悪化させているといった問題があった。
【０００６】
また、空気調和機の風路と外部を断熱するために発泡スチロールなどの断熱材を筐体の内面と外面に配置し、冷房運転時に筐体が冷やされないようにすることで筐体外郭への結露を防止している。
この断熱材については、その役割上、空気調和機の外郭の内面と外面に沿って配置することになるため、例えば発泡スチロールで一体成形した場合、籠状の形状となる。
このため、成形した断熱材を空調機組み立て場所まで輸送する際の輸送効率が悪いといった問題がある。
また、筐体の各辺ごとに板状の断熱材を貼着する方法もあるが、貼着する箇所が多くなり、組立て工数が増えすぎるといった問題もある。
【０００７】
本発明は、上記の課題を解決するためになされたもので、筐体を構成する部品点数を少なくし、組立工数を低減させ、軽量化により据付作業の容易化を実現し、かつ筐体の内面に配置される断熱材の数を縮小でき、輸送効率と生産性を向上させることができる空気調和機の室内機を得ることを目的とする。
【課題を解決するための手段】
【０００８】
本発明の空気調和機の室内機は、天板部と側板部を有する筐体と、筐体の下端開口部に室内側から装着され、中央に吸込口を有し、外周に複数の吹出口を有する化粧パネルと、筐体の天板部の中央に設置された遠心ファン及び遠心ファンを回転させるためのファンモータと、遠心ファンの外周に囲うように設置された熱交換器とを備えた天井埋め込み形の空気調和機の室内機において、前記天板部と、前記側板部と、該側板部の内側に配置され、前記側板部と２重構造をなす壁と、を有する筐体が、硬質合成樹脂による一体成型品で構成されている。
【発明の効果】
【０００９】
本発明の空気調和機の室内機においては、筐体の側板部の内側に内側の壁を配置して側面を２重の壁構造とし、空洞部の空気層により断熱性を持たせることで、断熱材を天板部に設けるだけで済み、筐体内部の断熱部材を縮小することができ、輸送効率と生産性を向上させることができるという効果がある。
【図面の簡単な説明】
【００１０】
【図１】本発明の実施の形態１に係る空気調和機の室内機の全体構成を示す断面図。
【図２】同空気調和機の室内機の化粧パネルの正面図。
【図３】本発明の実施の形態２に係る空気調和機の室内機の全体構成を示す断面図。
【発明を実施するための形態】
【００１１】
実施の形態１．
図１は本発明の実施の形態１に係る空気調和機の室内機の全体構成を示す断面図、図２は同空気調和機の室内機の化粧パネルの正面図である。
図１において、本発明の実施の形態１に係る天井埋め込み形の空気調和機の室内機１は、天井５０の上側に埋設配置される天板部と側板部を有する筐体２と、この筐体２の下端開口部に室内側から装着される矩形平板状の化粧パネル３を備えている。
その化粧パネル３には、図２に示すように、その中央部に位置するようにして吸込口４が形成され、その吸込口４の外周には４つの吹出口５が形成されている。
【００１２】
その筐体２は、天板部２ａと、側板部２ｄと、側板部２ｄから水平に張り出し、アンカーボルト５１に固定されるアンカー用固定部２ｃと、側板部２ｄの内側に配置され、側板部２ｄとで２重の壁構造とする内側の壁２ｂとを有しており、これらが例えば、ガラス入りのＡＢＳ樹脂といった硬質合成樹脂による一体成型品で構成されている。
筐体２の内側の壁２ｂが吹出風路１６の外側に配置され、側板部２ｄは空気層を挟んで内側の壁２ｂの外側に配置される。
【００１３】
筐体２の天板部２ａの中央には遠心ファン９と遠心ファン９を回転させるためのファンモータ１０が設置され、その遠心ファン９の外周に囲うように熱交換器１１が設置されている。また、筐体２の天板部２ａの内面に板状の断熱部材１２が設置されている。
また、遠心ファン９と吸込口４の間にはベルマウス１３が配置され、吸込口４には吸込グリル１４とフィルタ１５が装着されている。
また、吹出口５の上部には吹出風路１６が形成され、吹出口５の下部には吹き出し風向を調整するベーン１７が設置されている。
筐体２のアンカー用固定部２ｃに天井５０の裏から吊り下げられているアンカーボルト５１を固定することにより、室内機１が天井５０に据え付けられる。
【００１４】
上記のように構成された空気調和機の室内機１は、遠心ファン９が回転することで空気は吸込口４、ベルマウス１３を通り、熱交換器１１で熱交換された後、吹出風路１６を通ってベーン１７で風向を調整され、吹出口５から吹き出し空気として吹き出される。
このように実施の形態１の空気調和機の室内機１の筐体２は、天板部２ａと、側板部２ｄと、アンカー用固定部２ｃと、内側の壁２ｂとを有しており、これらが硬質合成樹脂による一体成型品で構成されているので、従来の吊り金具の代わりを固定部２ｃがすることにより、組み立て作業が不要となる。
また、従来の筐体は鋼板製であるが、この実施の形態の筐体２は硬質合成樹脂による一体成型品で構成されているので、軽量化でき、空気調和機の室内機１の据付時や運搬時の作業者の負担を低減できる。
【００１５】
また、筐体２の側面側を側板部２ｄと、側板部２ｄの内側に配置された内側の壁２ｂとの２重の壁構造としたので、側板部２ｄと内側の壁２ｂの間の空洞部１８内の空気層が断熱材の役割を果たし、冷房運転時の筐体２の外郭の温度低下を抑止し、結露を防止できるため、従来の空気調和機では断熱材が天板部と側板部の両方への配置が必要であったが、この実施の形態１では、図１に示すように断熱部材１２は天板部２ａのみの配置で済むこととなった。
従って、断熱材は、従来のように籠状の発泡スチロールの一体品もしくは板状の断熱材を複数枚貼り合わせる必要がなくなり、１枚の板状の発泡スチロールで構成できるようになり、輸送効率が向上し、組み立て工数減となり、生産性が向上した。
【００１６】
実施の形態２．
図３は、本発明の実施の形態２に係る空気調和機の室内機の全体構成を示す断面図である。
この実施の形態２は、アンカー用固定部２ｃが万が一破損した場合に備え、筐体２が落下しないように板金製の落下防止部材１９をアンカー用固定部２ｃに取り付けることで、安全性を向上させたものである。なお、この落下防止部材１９は、側板部２ｄ及び内側の壁２ｂと、アンカー用固定部２ｃとに跨るようにして配置されて固定され、アンカー用固定部２ｃの破損に備えている。
【００１７】
実施の形態３．
この実施の形態３は、筐体２に難燃性樹脂（例えば難燃化効果を有するハロゲン化合物、リン化合物などを添加した樹脂）を用いることで、筐体２の難燃化を図ったものである。従って、筐体２が燃えにくくなり、安全性が向上した。
また、樹脂で一体成型された筐体２の表面に難燃性塗料、例えば酢酸ビニルや、塩化ビニル、アクリルなどの難燃性バインダーに無機顔料を加えたエマルジョン塗料を塗布し、筐体２の難燃化を図ったものである。従って、筐体２が燃えにくくなり、安全性が向上した。
【符号の説明】
【００１８】
１  室内機、２  筐体、２ａ  天板部、２ｂ  内側の壁、２ｃ  アンカー用固定部、２ｄ  側板部、３  化粧パネル、４  吸込口、５  吹出口、９  遠心ファン、１０  ファンモータ、１１  熱交換器、１２  断熱部材、１３  ベルマウス、１４  吸込グリル、１５  フィルター、１６  吹出風路、１７  ベーン、１８  空洞部、１９  落下防止部材、５０  天井、５１  アンカーボルト。
【図１】
2011185584.tif 000003
【図２】
2011185584.tif 000004
【図３】
2011185584.tif 000005